(57)【特許請求の範囲】
【請求項１】
建物開口部の窓用サッシの室内側に位置する左右一対の縦枠の互いに対向する位置に、該縦枠の長手方向に沿うスリットを設け、該スリットの内側に、スクリーンの左右側端に沿って設けた係合用の膨出部片を、該スリットに沿って上下摺動可能に係合させ、
該スクリーンの上下端に着脱自在の第１及び第２の保持部材を上記窓用サッシの上下の横枠にそれぞれ着脱自在に保持させ、
上記第２の保持部材を、上記スリットが溝底に設けられている縦枠の摺動溝に沿って上下にガイド可能な横桟によって構成し、
上記第１の保持部材を、上記第２の保持部材が着脱自在の横枠とは上下反対側の横枠の一部をなす開口カバーにより構成して、該開口カバーに保持されたスクリーンを、上記縦枠のスリット間に張設したスクリーンの延長上にガイド面が位置するガイド桟で転向して外部に引き出し可能に形成し、
上記ガイド桟を、それを設けた横枠からの上記開口カバーの離脱により該横枠から取り出し可能に形成している、
ことを特徴とする建物開口部用スクリーン装置。
【請求項２】
上記第１の保持部材に取り付けたスクリーンの引き出しによって、上記横桟が建物開口部の上下反対側端に達したときに当接する横枠に、該横桟が係止する係止部を形成し、且つ該係止部はそれを迂回して上記横桟を上記摺動溝から外部へ離脱可能に形成している、
ことを特徴とする請求項１に記載の建物開口部用スクリーン装置。
【請求項３】
上記縦枠の摺動溝に沿って上下にガイド可能な横桟をスクリーンの張設時に保持する横枠に、該横桟が押入されたときにそれを保持する凹溝を設け、該凹溝への横桟の保持機構は、該横桟の側面に形成した凸部を上記凹溝内側面に形成した複数段の係合突子のいずれかに選択的に弾性的に係合させることによりスクリーンを緊張させる機能を備えたものとして構成している、
ことを特徴とする請求項１または２に記載の建物開口部用スクリーン装置。
【請求項４】
上記スクリーンの上端に取り付けられる第１の保持部材が、建物開口部の上部に位置する横枠の一部を構成する開口カバーであり、上記スクリーンの下端に取り付けられる第２の保持部材が、上記左右一対の縦枠の摺動溝に沿って両端がガイドされる横桟である、
ことを特徴とする請求項１〜３のいずれかに記載の建物開口部用スクリーン装置。
【発明の詳細な説明】
【技術分野】
【０００１】
本発明は、障子が室外側に開く外開き窓や辷り出し窓等を備えた建物開口部において窓用サッシの内側に設置するのに適したスクリーン装置に関するものであり、更に具体的には、窓用サッシの内側に位置する左右一対の縦枠間の上下部に配設されたスクリーンの保持部材により、スクリーンを固定的ではあるがメンテナンス等のために容易に引き出しあるいは取り外し可能にした、防虫、遮光、目隠し等のためのスクリーン装置に関するものである。
【背景技術】
【０００２】
特許文献１において開示されているように、建物開口部の障子が室外側に開く外開き窓や辷り出し窓等を備えた建物開口部において、防虫用の網戸を障子の開閉に支障のない窓用サッシの室内側に固定的に設けるようにしたスクリーン装置は既に知られている。この種のスクリーン装置においては、防虫用スクリーンのメンテナンスや交換等のために、窓用サッシの室内側の四周に設けられた防虫用スクリーンの取付溝に対する該スクリーンの端部の取り付けを容易にするように配慮しているが、ユーザーにおいて該防虫用スクリーンの取り外しや取り付けは、必ずしも容易ではない。
【０００３】
即ち、上記特許文献１のスクリーン装置においては、スクリーンの一方の対向する２辺を網戸枠に取り付けるに際し、その図８に示されているように、網材３０の端部の係合用の膨出部片（固定端部３１）を、網材係合部材４０の間隙４５の内側の中空部４４にその一端から挿入しているので、この対向２辺については、上記中空部４４への網材３０の固定端部３１の挿入により、格別の熟練を要することなく比較的容易に、しかも素早くスクリーンの取り付けや取り外しの作業を行うことができる。
【０００４】
しかしながら、残る他の２辺については、その各辺に沿って一端から他端までスクリーンの端部を溝１７に対して網材挟持部材５０で固定していく必要があり、そのため、スクリーンのメンテナンスや破損したスクリーンの交換等は、必ずしも簡便で容易なものではない。特に、障子が室外側に開く外開き窓や辷り出し窓等を備えた建物開口部において、スクリーン自体を窓用サッシに直接的に取り付けている上記特許文献１のような構成の場合には、スクリーンにおける障子側の面の清掃を行うのにスクリーンを取り外す必要があり、かかるスクリーンのメンテナンスを行うのは容易ではない。
また、例えば、特許文献２において開示されているようなスクリーン張設機構においても同様な問題がある。
【先行技術文献】
【特許文献】
【０００５】
【特許文献１】特開２００８−５０８０５号公報
【特許文献２】特開２０１０−７０９７７号公報
【発明の概要】
【発明が解決しようとする課題】
【０００６】
本発明の技術的課題は、建物開口部における窓用サッシの室内側にスクリーンを固定的に設置するものにおいて、スクリーンの清掃等のメンテナンスや、スクリーンの取付、交換等のための着脱を極めて容易に行えるように構成した建物開口部用スクリーン装置を提供することにある。
【課題を解決するための手段】
【０００７】
上記課題を解決するため、本発明によれば、建物開口部の窓用サッシの室内側に位置する左右一対の縦枠の互いに対向する位置に、該縦枠の長手方向に沿うスリットを設け、該スリットの内側に、スクリーンの左右側端に沿って設けた係合用の膨出部片を、該スリットに沿って上下摺動可能に係合させ、該スクリーンの上下端に着脱自在の第１及び第２の保持部材を上記窓用サッシの上下の横枠にそれぞれ着脱自在に保持させ、上記第２の保持部材を、上記スリットが溝底に設けられている縦枠の摺動溝に沿って上下にガイド可能な横桟によって構成し、上記第１の保持部材を、上記第２の保持部材が着脱自在の横枠とは上下反対側の横枠の一部をなす開口カバーにより構成して、該開口カバーに保持されたスクリーンを、上記縦枠のスリット間に張設したスクリーンの延長上にガイド面が位置するガイド桟で転向して外部に引き出し可能に形成し、上記ガイド桟を、それを設けた横枠からの上記開口カバーの離脱により該横枠から取り出し可能に形成していることを特徴とする建物開口部用スクリーン装置が提供される。
【０００８】
本発明に係る建物開口部用スクリーン装置の好ましい実施形態においては、上記第１の保持部材に取り付けたスクリーンの引き出しによって、上記横桟が建物開口部の上下反対側端に達したときに当接する横枠に、該横桟が係止する係止部を形成し、且つ該係止部はそれを迂回して上記横桟を上記摺動溝から外部へ離脱可能に形成される。
【０００９】
また、本発明に係る建物開口部用スクリーン装置の他の好ましい実施形態においては、上記縦枠の摺動溝に沿って上下にガイド可能な横桟をスクリーンの張設時に保持する横枠に、該横桟が押入されたときにそれを保持する凹溝を設け、該凹溝への横桟の保持機構は、該横桟の側面に形成した凸部を上記凹溝内側面に形成した複数段の係合突子のいずれかに選択的に弾性的に係合させることによりスクリーンを緊張させる機能を備えたものとして構成される。
【００１０】
更に、本発明の好ましい実施形態においては、上記スクリーンの上端に取り付けられる上記スクリーンの上端に取り付けられる第１の保持部材が、建物開口部の上部に位置する横枠の一部を構成する開口カバーであり、上記スクリーンの下端に取り付けられる第２の保持部材が、上記左右一対の縦枠の摺動溝に沿って両端がガイドされる横桟であるものとして構成される。
【００１１】
上記構成を有する建物開口部用スクリーン装置においては、左右一対の縦枠に設けた長手方向のスリットに沿ってスクリーンを上下摺動可能にしているので、一方の保持部材と共に、あるいは該保持部材からスクリーンを取り外して、該スクリーンを上下いずれかの方向に引き出して清掃し、あるいは、破損したスクリーンを抜き出して新しいものと交換することができる。また、上記スクリーンの清掃は、該スクリーンを上述したように上下いずれかの方向に引き出して、横桟が建物開口部の上下反対端に達したときに、該横桟をそこに一旦係止させた状態にして、スクリーンの障子側の面の清掃を行うこともできるので、スクリーンの実質的な取り外しを行うことなく、極めて容易にその清掃等のメンテナンスを行うことができる。
【００１２】
なお、上記スクリーン装置においては、第１及び第２の保持部材を建物開口部におけるスクリーンの上下端のいずれの側に設けることもでき、例えば、第１の保持部材としての左右一対の縦枠の上部間に位置する横枠の一部をなす開閉自在の開口カバーを、建物開口部の下部に配置して、それにより覆われるう開口カバー内にガイド桟を設け、また、第２の保持部材を構成する横桟を建物開口部の上部において保持させ、それを左右一対の縦枠の摺動溝により上下摺動自在にガイドさせるような構成とすることもできる。
【発明の効果】
【００１３】
以上に詳述した本発明のスクリーン装置によれば、建物開口部における窓用サッシの室内側にスクリーンを固定的に設置するものにおいて、スクリーンの清掃等のメンテナンスや、スクリーンの取付、交換等のための着脱を極めて容易に行えるようにした構成の建物開口部用スクリーン装置を得ることができる。
【図面の簡単な説明】
【００１４】
【図１】本発明に係る建物開口部用スクリーン装置の実施例を示す縦断面図である。
【図２】同実施例の水平断面図である。
【図３】同実施例におけるスクリーン及びそれに付帯する下部保持部材等（上部の保持部材は省略）の正面図である。
【図４】上記スクリーン及びそれに付帯する上部の保持部材及びガイド桟等の部分破断斜視図である。
【図５】スクリーンの上部をガイドするガイド桟の端部の支持構造を示す部分破断分解斜視図である。
【図６】（Ａ）〜（Ｃ）は、スクリーンの下端の保持部材を横枠に対して保持させる保持機構において、スクリーンに対しそれぞれ異なる張力付与を行っている状態を示す要部側断面図である。
【図７】スクリーンの上部を保持する保持部材とスクリーンとの連結状態を示す部分破断要部斜視図である。
【図８】スクリーンの引き出し状態を示す上記建物開口部用スクリーン装置の縦断面図である。
【発明を実施するための形態】
【００１５】
図面は、本発明に係る建物開口部用スクリーン装置の実施の一例を示している。この建物開口部用スクリーン装置は、建物開口部１における障子３が室外側に開く外開き窓や辷り出し窓等である場合において、窓用サッシ２の内側に設置するのに適したもので、図示の実施例では、ハンドル４の回転操作により障子３が室外側に開く外開き窓を例示しているが、かかる構成に限るものではない。
【００１６】
このスクリーン装置においては、障子３が室外側に開くために、建物開口部１の窓用サッシ２の室内側にスクリーン５を取り付けるが、この場合、スクリーン５が長期にわたる通風により汚れたときに、スクリーンの清掃等のメンテナンスを行い、あるいは破損したときのスクリーンの交換を容易にしておく必要がある。なお、スクリーンを別途スクリーン枠に張設して窓用サッシ２に取り付けると、上記ハンドル４等の存在によってその着脱操作が容易になるとは限らず、また、建物開口部１を通しての視野が制限されることにもなるので望ましくない。
【００１７】
このようなスクリーン５の取り付けを前提にするため、まず、図２に示すように、窓用サッシ２の室内側に位置する左右一対の縦枠６の互いに対向する位置に、該縦枠６の長手方向に沿うスリット６ａを設け、該スリット６ａの内側に、スクリーン５の左右側端に沿って設けた係合用の膨出部片５ａを、該スリット６ａに沿って上下摺動可能に係合させている。上記膨出部片５ａとしては、布等の端部の接合に用いているファスナーの半体を利用するのが望ましい。
そして、上記スクリーン５は、その上下端に第１及び第２の保持部材１０，２０を、以下に詳述するように取り外し可能にして取り付け、それらの操作により、後述するように該スクリーン５を容易に縦枠６のスリット６ａに沿って引き出し、あるいは取り外しできるようにしている。
【００１８】
上記スクリーン５の上下端に着脱自在の第１及び第２の保持部材１０，２０について詳細に説明すると、まず上記スクリーン５の上端に設けている第１の保持部材１０は、図示の実施例では、図１、図４及び図７において明瞭に示すように、建物開口部１における窓用サッシ２の上部の横枠７の一部をなす開口カバー１１により構成し、該開口カバー１１の内面に上記スクリーン５の上端を保持させている。該開口カバー１１は、上部の横枠７内に配設したスクリーン５を転向させるためのガイド桟１３の収容部をカバーするものであるが、該開口カバー１１を取り外して、図７及び図８に示すようにその内面に保持されたスクリーン５を導出可能にすると共に、それによって形成された横枠７の開口から、必要に応じて上記ガイド桟１３をも取り外し可能にするものである。
【００１９】
上記開口カバー１１に対するスクリーン５の上端の着脱自在の取り付けは、該スクリーン５の上端にも、前述したスクリーン５の側端の係合用の膨出部片５ａと同様な膨出部片５ｂを設け、それを上記開口カバー１１の内面にスクリーン５の巾方向に向けて設けた取付溝１１ａの口部のスリット１１ｂの内側へ、該スリット１１ｂの端部からの挿通により取り付けるようにしているが、それに限るものではなく、例えば面ファスナーを用い、互いに接合される面ファスナー部片を上記開口カバー１１の内面とスクリーン５の上端に取り付けて相互に接合させるなど、挿通や貼着という簡単な手段により一挙に全長にわたり所定の位置的関係で連結できる手段が適している。
なお、図示の実施例では開口カバー１１に取付溝１１ａを一体的に設けた構成を示しているが、別部材を付設することにより該取付溝を付設することもできる。
【００２０】
上記ガイド桟１３は、前記一対の縦枠６のスリット６ａ間に張設したスクリーン５の延長上に、その周面の円筒状をなすガイド面が位置するように配設して、上記縦枠６のスリット６ａ間に挿通したスクリーン５を外部に引き出す際に横枠７内で円滑に転向させるためのものである。上記ガイド桟１３の両端の支持は、図３及び図５から分かるように、該ガイド桟１３の両端に設けられている支持軸１３ａを、窓用サッシ２の縦枠６の上端に位置する横枠７の軸受部７ａにおける上端開放の受け溝１４に落とし込むことにより、回転自在に支持させている。
【００２１】
一方、上記スクリーン５の下端に配設している第２の保持部材２０は、図１及び図６に明瞭に示すように、上記左右一対の縦枠６間における窓用サッシ２の下部の横枠８に着脱自在に保持させると共に、左右一対の縦枠６の長手方向に向けて設けた摺動溝６ｂに沿って両端が上下摺動自在にガイドされる横桟２１によって構成している。上記縦枠６の摺動溝６ｂは、上記スクリーン５の左右側端の膨出部片５ａを係合させる前記スリット６ａが溝底に設けられているものである。
【００２２】
上記横桟２１に対するスクリーン５の着脱自在の取り付けは、該スクリーン５の下端にも、前述したスクリーン５の上端と同様な膨出部片５ｂを設け、それを上記横桟２１の上面に長手方向に沿って設けた取付溝２１ａ内のスリット２１ｂの内側へ、該スリット２１ｂの端部からの挿通により取り付けるようにしている。
【００２３】
しかしながら、より簡単にスクリーン５を横桟２１から着脱可能にするためには、例えば、上記膨出部片５ｂを下側から挟むように二つ折りにしてその内側に係合保持するが、弾性的に拡開傾向を有しているスクリーン端保持部材を用い、それを上記横桟２１の取付溝２１ａに押入して弾性的に係止させるような既知の手段（例えば、特開２００５−４８４３７号公報のスクリーン端保持部材２２参照）を採用することもできる。これは、前記スクリーン５の上端を第１の保持部材１０に取り付ける場合についても同様である。
また、上記横桟２１に対するスクリーン５の端部の固定にも、第１の保持部材１０の場合と同様に面ファスナーを用いることもできる。
【００２４】
上記縦枠６の摺動溝６ｂに沿って上下にガイド可能な横桟２１をスクリーン５の張設時に下部の横枠８に保持させるため、該横枠８には、横桟２１が押入されたときにそれを保持する凹溝８ａを設け、該凹溝８ａへの横桟２１の保持機構には、図６の（Ａ）〜（Ｃ）に示すように、該横桟２１の側面に形成した位置決め用の凸部２１ｃを上記凹溝８ａの内側面に形成した複数段の係合突子８ｂのいずれかに選択的に弾性的に係合させることにより、スクリーン５の緊張程度を複数段に変化させて横桟２１を保持できるようにした機能を具備させている。また、上記横桟２１の位置決め用の凸部２１ｃを下部の横枠８の凹溝８ａ内の係合突子８ｂに対して弾性的に係合させるため、該横桟２１における上記凸部２１ｃを設けた側面とは反対側の側面に、弾性的に突出する複数の弾片２１ｄを設けて、凹溝８ａ内に横桟２１を圧嵌したとき、凸部２１ｃを凹溝８ａ内の係合突子８ｂ側に弾性的に押圧させている。
【００２５】
図８に示すように、上記開口カバー１１に取り付けたスクリーン５は、窓用サッシ２の上部から引き出すことができるものであり、この引き出しによって下部の横枠８における凹溝８ａから外された上記横桟２１がスクリーン５に引かれて窓用サッシ２の上端に達したときに、引き出されたスクリーン５を図８の状態で簡易に清掃等のメンテナンス可能にするため、該横桟２１をそこに一旦係止可能に形成している。この横桟２１の係止は、窓用サッシ２の横枠７の一部に形成した係止部７ｂに横桟２１を当接させることにより行うものである。この係止部７ｂに当接した横桟２１の摺動溝６ｂからの取り出しは、前記開口カバー１１を開くことにより形成される開口からガイド桟１３を取り出した状態で、横桟２１の上部を室内側に傾倒させることにより、横桟２１の両端を摺動溝６ｂから離脱させると共に、該横桟２１が上記係止部７ｂを迂回して外部へ離脱できるように形成している。
【００２６】
上記構成を有するスクリーン装置においては、第１及び第２の保持部材１０，２０を構成する開口カバー１１及び横桟２１を、建物開口部１におけるスクリーン５の上下端のいずれの側に取り付けることもでき、例えば、上記開口カバー１１を、建物開口部１の下部の横枠８に設けると共に該横枠７内にガイド桟１３を設け、また上記横桟２１を、建物開口部１の上部の横枠に保持させると共に、左右一対の縦枠６の摺動溝６ｂにより上下摺動自在にガイドさせるような構成とすることもできる。
【００２７】
このようなスクリーン装置においては、左右一対の縦枠６に設けた長手方向のスリット６ａに沿ってスクリーン５を上下摺動可能にしているので、一方の保持部材１０または２０と共に、あるいは該保持部材からスクリーン５を取り外して、該スクリーンを上下いずれかの方向に引き出して清掃し、あるいは、破損したスクリーンを抜き出して新しいものと交換することができる。また、上記スクリーン５の清掃は、上述したようにスクリーン５を上下いずれかの方向に引き出して、横桟２１が建物開口部の上下反対端に達したときに、該横桟をそこに一旦係止させた状態にして、スクリーンの障子側の面の清掃を行うこともでき、そのため、スクリーン５の実質的な取り外しを行うことなく、極めて容易にその清掃等のメンテナンスを行うことができる。
【符号の説明】
【００２８】
１      建物開口部
２      窓用サッシ
５      スクリーン
５ａ    膨出部片
６      縦枠
６ａ    スリット
６ｂ    摺動溝
７      上部の横枠
８      下部の横枠
１０      第１の保持部材
１１      開口カバー
１３      ガイド桟
２０      第２の保持部材
２１      横桟
【図１】
0005580228.tif 000002
【図２】
0005580228.tif 000003
【図３】
0005580228.tif 000004
【図４】
0005580228.tif 000005
【図５】
0005580228.tif 000006
【図６】
0005580228.tif 000007
【図７】
0005580228.tif 000008
【図８】
0005580228.tif 000009